(57)【要約】  画像投射装置（１）において、画像データ（ＰＤ）に基づいて光を発生する電気光学装置（１０）によって投射表面（３）に画像（２）が投射される。投射モード設定段（３２）は、投射モードパラメータに基づいて種々の投射モードの設定を担う。各投射モードパラメータにつき、変数作用装置（１１，１３，２１，２２，２８）は、投射モード設定段（３２）により制御されることが可能であり、投射モードの少なくともいずれかが投射表面（３）において投射画像（２）の異なる画像サイズにより少なくとも特徴づけられる。投射モード選択装置（３０）が投射モード選択信号（ＰＭＳ）を投射モード設定段（３２）に出力することによって、可能性のある投射モードからの投射モードの選択を行うことができる。
2007508732.tif 000002
【特許請求の範囲】
【請求項１】
種々の投射モードにより投射表面に画像を投射する装置であって、
当該投射画像を表す画像データ源からの画像データに基づいて光を発生する電気光学装置を有し、
前記投射画像の画像サイズを変える変更手段を有し、
当該装置において生じる少なくとも１つの物理的変数にいずれの場合も制御可能に作用を及ぼす制御可能型変数作用手段を有し、
投射モードパラメータに基づいて種々の投射モードの設定を行うことのできる投射モード設定段を有し、
各投射モードパラメータにつき、変数作用手段は、前記投射モード設定段により制御されることが可能であり、前記変数作用手段の少なくともいずれかは、前記投射モードの少なくともいずれかにおいて前記投射画像の少なくとも異なる画像サイズが前記投射表面において得ることができるように構成され、
当該装置は、可能性のある複数の異なる投射モードから投射モードを選択することができ当該選択された投射モードに応じて投射モード選択信号を発生することができる投射モード選択手段を有し、その投射モード選択信号は、当該選択された投射モードを設定する目的で前記投射モード設定段に出力可能とされる、
装置。
【請求項２】
請求項１に記載の装置であって、前記投射モード選択手段は、ユーザがマニュアルで前記投射モードを選択することが可能なように構成されている、装置。
【請求項３】
請求項１に記載の装置であって、記憶手段が設けられ、この記憶手段において前記投射モードパラメータが記憶可能である、装置。
【請求項４】
請求項１に記載の装置であって、前記変更手段は、調整可能に保持された光学システムによって形成される、装置。
【請求項５】
請求項４に記載の装置であって、前記変更手段を形成する光学システムは、電気的に活性化可能なモータにより調整可能である、装置。
【請求項６】
請求項１に記載の装置であって、前記変数作用手段の少なくともいずれかは、前記投射モードの少なくともいずれかにおいて前記投射画像の異なる画像輝度を付加的に得ることができるように構成されている、装置。
【請求項７】
請求項１に記載の装置であって、複数の画像信号源から画像信号源を選択する画像信号源選択装置が付加的に設けられ、画像信号源が前記画像信号源選択装置により各投射モードにつき選択可能である、装置。
【請求項８】
請求項１に記載の装置であって、前記投射モード選択手段は、可能性のある複数の投射モードから投射モードの自動的選択を行うよう構成されている、装置。
【請求項９】
請求項８に記載の装置であって、画像データ源判定手段が設けられ、この画像データ源判定手段は、活性化された画像データ源を判定するように構成され、前記投射モードの自動的選択は、当該判定された活性化された画像データ源及び場合によっては前記画像データ源に付帯するメタデータに基づいて行うことができる、装置。
【請求項１０】
請求項８に記載の装置であって、セマンティックな内容に関して前記画像データを分析するための画像データ分析手段が設けられ、前記投射モードの前記自動的選択は、当該分析された画像データの関数として行うことができる、装置。
【請求項１１】
請求項１に記載の装置であって、少なくとも１つの投射モードパラメータに作用を及ぼすパラメータ作用手段が設けられている装置。
【請求項１２】
請求項１１に記載の装置であって、前記パラメータ作用手段は、前記装置の周辺輝度を測定する測定手段を有し、少なくとも１つの投射モードパラメータは、当該測定された周囲輝度の関数として前記パラメータ作用手段により作用されうる、装置。
【請求項１３】
請求項１２に記載の装置であって、前記パラメータ作用手段は、コントラスト設定につき決定的なパラメータに作用を及ぼすよう構成されている、装置。
【発明の詳細な説明】
【技術分野】
【０００１】
本発明は、色々な投射モードで投射表面上に画像を投射する装置に関し、特に、当該投射画像を表す画像データに基づいて光を発生し出力する電気光学装置を有し、当該投射画像の画像サイズを変えるための光学変更手段を有し、またいずれも当該装置において生じる少なくとも１つの物理的変数に制御可能にして作用を及ぼすための制御可能型変数作用手段を有する装置に関する。
【背景技術】
【０００２】
投射表面上に画像を投射するこのような装置は、例えば、米国特許第５，６５８，０６２号から知られている。この既知の文献に記載されているのは、電気機械的に作動させられることの可能なズーム光学系によりある連続した範囲内で投射画像の画像サイズを変更することができるプロジェクタであり、かかるズーム光学系は、光源により発せられた光を投射壁上へ投射している。知られた態様では、当該投射画像の異なる輝度又は光強度は、当該ズーム光学系の位置によって得られる。この既知のプロジェクタにおいては、光源から発せられる光は、投射壁上に投射された画像においてほぼ同じ輝度が得られるようにズーム光学系の位置の関数としてその強度につき制御される。
【０００３】
最近では、ホームシアタの目的でプロジェクタが益々頻繁に用いられてきており、例えばＤＶＤプレーヤにより出力されたビデオ映画画像がリビングルームの壁に投射されることが普通となっている。投射すべき画像データは、同様にＴＶチューナから得ることができるので、ＴＶ番組は、このようなプロジェクタによって示すことができる。ホームシアタ目的のプロジェクタのこのような使用においては、ユーザは、しばしば異なる画像サイズで異なる番組内容を見たいと思うものである。例示すると、ビデオ映画の場合は出来るだけ大きなすなわち最大の画像サイズで映画を観ることができるように再生されるのが好ましいと考えられるのに対し、他の番組例えばニュース放送などの場合は、より小さな画像サイズが望ましい場合がある。当該既知のプロジェクタの使用は、制限された程度においてそうした目的についてのみ可能であるに過ぎない。種々の画像サイズを設定することは可能であるものの、これは、当該プロジェクタの動作素子の比較的複雑な取り扱い又は操作によってのみ行うことができるにすぎず、不利である。さらに、所望の画像サイズを素早く設定し常に与えられた目的の同じサイズを設定することも難しい。
【発明の開示】
【発明が解決しようとする課題】
【０００４】
したがって、本発明の目的は、投射表面上に画像を投射する装置であって上述した不利な点を回避するものを提供することである。
【課題を解決するための手段】
【０００５】
この目的を達成するために、本発明は、次のように特徴づけることのできる装置を提供する。
【０００６】
すなわち、種々の投射モードにより投射表面に画像を投射する装置であって、  当該投射画像を表す画像データ源からの画像データに基づいて光を発生する電気光学装置を有し、前記投射画像の画像サイズを変える変更手段を有し、当該装置において生じる少なくとも１つの物理的変数にいずれの場合も制御可能に作用を及ぼす制御可能型変数作用手段を有し、投射モードパラメータに基づいて種々の投射モードの設定を行うことのできる投射モード設定段を有し、各投射モードパラメータにつき、変数作用手段は、前記投射モード設定段により制御されることが可能であり、前記変数作用手段の少なくともいずれかは、前記投射モードの少なくともいずれかにおいて前記投射画像の少なくとも異なる画像サイズが前記投射表面において得ることができように構成され、当該装置は、可能性のある複数の異なる投射モードから投射モードを選択することができ当該選択された投射モードに応じて投射モード選択信号を発生することができる投射モード選択手段を有し、その投射モード選択信号は、当該選択された投射モードを設定する目的で前記投射モード設定段に出力可能とされる、装置である。
【０００７】
したがって、本発明による装置においては、非常に簡単かつ都合の良い形態で、多数の投射モードから投射モードを迅速に設定することができ、所望の画像サイズが素早く、常に当該投射モード又は用途に応じた目的の同じサイズに設定することができる。
【０００８】
投射モードパラメータは、例えば赤外線遠隔制御装置によって本発明による装置に伝送されるようにしてもよい。請求項２及び３に記載の方策が本発明による装置に設けられると、特に効果的であり、当該装置の簡単で簡素化された動作を導き、投射モードの選択も当該装置に対し直接行うことができることが判明した。
【０００９】
変更される画像サイズが得られるように投射の前に電気的又はディジタル的に画像データを処理するように変更手段を設けてもよい。
【００１０】
請求項４及び５に記載の方策を設けると、非常に効果的であることが判明しており、投射画像が解像度に関するクオリティの損失を呈しない、という利点が得られる。さらに、これにより投射画像の輝度が改善する。
【００１１】
請求項６の方策において請求されているように、当該用途に応じて投射画像の適切な画像輝度が常に得られるという効果が奏され、結果として装置のサービス寿命が格段に長くなる。
【００１２】
請求項７の方策において請求されるように、異なる画像データ源が投射モードに応じて選択可能であるという利点がある。
【００１３】
請求項９の方策により、投射モードの自動的な選択を非常に簡単に行うことができるという利点が得られる。これは、これをなすために必要なものは、どの画像データ源がかかわっているかを判定するだけでよく、画像データ源を介して出力される、いわゆるメタデータすなわち付随する付加的情報が追加で用いられる可能性があるからである。
【００１４】
請求項１０の方策により、非常に高度な状態の自動化が達成可能であり、投射モードが非常に多くの目的及び／又は条件のために設定可能であるという利点が得られる。
【００１５】
請求項１３に記載のような方策が設けられると非常に効果的にであることが分かっている。それは、結果として、輝度及びコントラスト設定が常にある瞬間においてユーザの状況に適合した状態を維持するからである。例えば、高い周囲輝度の場合、例えば強調させる必要のない小さい画像サイズでかつ画像内容の場合、コントラスト設定値を落とすのが有益である。結果として、（画像輝度を同じままとして）光を発する電気光学装置のランプの電力を減らすことができる。一般に、投射モードの対象とされる使用によって、ランプのパワーを必要最小限の値に常に維持することができる。ランプにより生じた熱は、ファンにより冷まされるのが普通なので、このファンは、当該ランプのパワーの関数として制御されることが可能である。これにより、ファンにより生じるノイズを効果的に減らすことができる。ランプの制御操作によって、装置全体のサービス寿命が効果的に延びる。
【００１６】
以下、本発明を図面に示される実施例に基づいてさらに説明するが、本発明はこれに限定されるものではない。
【発明を実施するための最良の形態】
【００１７】
図１は、部屋５の壁３の上に投射されるべき画像２を投射する第１の装置１を示しており、当該壁は、装置１から壁面距離Ｄ離れて位置づけされている。第１の装置１は以下ではプロジェクタ１と呼ぶが、本例では、それ自体は知られているように部屋５のフロア７上に当該装置を配置するためのベース６を備えた立脚ユニット（standing unit）として構成されている。投射され又は投射予定の画像２は、画像データにより表され、この画像データは、ＤＶＤプレーヤ（図１には示していない）からプロジェクタ１へ電子的に伝送される。なお、画像データ及びこれも可能性のあるオーディオデータは、オンラインＰＣ又はＣＤ若しくはＤＶＤプレーヤから、又はインターネット接続を介して直接、プロジェクタ１へ供給可能である。さらにこのビデオ及びオーディオデータは、アンテナ入力を介して無線の態様で供給されることもあり、プロジェクタの電子手段は、チューナなどを伴う従前の形態でオーディオ及びビデオ入力段を有する。こうした装置は、長く知られており、したがって、ここではこれ以上詳しく説明する必要はない。
【００１８】
画像を投射するこのような装置又はプロジェクタは、ホームシアタシステムにおいて益々使用されるようになってきており、当該プロジェクタは、画像形成に必要な光ビームを発生する非常に広範な技術すなわちプロジェクションを用いている。本例においては、ＬＤＣパネルがプロジェクタ１に用いられて画像データにより変調された光ビームを発生するようにしている。なお、画像データにより変調される光ビームを発生するのに、例えばＤＭＤパネル又は陰極線管などの他のデバイスを用いてもよい。
【００１９】
このプロジェクタ１は、内部に、立脚ユニットとしての構成で、垂直ビーム経路すなわち垂直光学主軸１４を有し、例えば１．５ｍから２ｍぐらいの適切な高さを有して、壁３への画像２の適切な投射を保証している。画像２は、この場合ではプロジェクタ１の光学システムに属する偏向手段により壁面３上に投射され、かかる偏向手段は、反射領域を備えた偏向ミラー８の形態を採っており、図１に示されるアクティブな偏向位置における偏向ミラー８は、水平線１６´に対し概して４５°の角度をなしうる。この偏向ミラー８は、回動ミラーとして構成され、水平保護位置（図示せず）において、図１に示される偏向位置に対して反時計回りに下向きに回動させられ、カバーとしてプロジェクタ１の頂部に載る。その保護位置においては、偏向ミラー８は、塵などに対してプロジェクタ１内の部品を保護する。一方、その偏向位置において、その反射領域により、壁部３上の画像２の位置の精確な垂直設定を可能とし、スクリーン等を必要に応じてそこに設けることができる。したがって、偏向ミラー８の傾きの角度の細やかな調整によって、壁部３上のこの垂直画像位置づけが行われるので、全体としてプロジェクタ１の高さ調整の必要がない。かかる傾き調整の場合、上述したように、偏向ミラー８の傾きの角度に基づいた補正アルゴリズムによって基本的な補正を実行することも知られている。
【００２０】
図２は、機能的アセンブリ又はブロックの形態でプロジェクタ１の概略構成を示している。プロジェクタ１は、以下により詳細に説明するように、画像データに基づいて光を発生するよう構成される電気光学装置１０を有している。電気光学装置１０は、光源１１、ＬＣＤパネル１２及び光学システム１３を有し、光学システム１３は、以下により詳細に説明するように、投射される画像の画像サイズを変えるための変更手段１３を形成する。光源１１は、本例では白熱灯により形成されており、光学システム１３は、対物レンズ１６を有する。
【００２１】
プロジェクタ１はさらに、Ａ／Ｖ信号入力２０を有し、このＡ／Ｖ信号入力に多数の画像信号源が接続され、またこのＡ／Ｖ信号入力２０を介して多数のオーディオ／ビデオ（Ａ／Ｖ）信号が受信されＡ／Ｖ入力モジュール２１に出力されることが可能である。Ａ／Ｖ入力モジュール２１は、例えばＡ／Ｄ変換段、復号段、同期段及びビデオ信号の画像データを処理するための処理段といった一連の機能段（個別には示していない）を形成する。Ａ／Ｖ入力モジュール２１はさらに、ユーザが入力手段により多数のＡ／Ｖ信号からＡ／Ｖ信号を選択するために設けられた選択回路（図示せず）を形成する。かかる入力手段は、本例では、プロジェクタ１に配された方向キー（図示せず）により形成され、この方向キーによりいわゆるオンスクリーン表示（ＯＳＤ）メニュー内で選択することにより従来の方法でメニュー誘導を行うことができる。Ａ／Ｖ入力モジュール２１はさらに、恐らくは処理されたディジタルＡ／Ｖ信号をＡ／Ｖ信号処理回路２２へ出力するように構成される。Ａ／Ｖ信号処理回路２２は、受信したＡ／Ｖ信号に対応する画像データＰＤに基づいて、それ自体は従来の態様で、ＬＣＤパネル駆動回路２３を介してＬＣＤパネル１２を制御するように構成されている。Ａ／Ｖ入力モジュール２１において形成され、信号処理回路２２に種々のＡ／Ｖ信号を出力することのできる選択回路によって、各投射モードにつき画像信号源を選択するために用いられることのできるように画像信号源選択装置が形成されて投射モード毎にどの場合でも最も適した画像信号源が選択できる。
【００２２】
ＬＣＤパネル１２は、画像データＰＤの関数として光源１１により発せられた光を変調するための光変調器（ライトバルブ）として構成される。ＬＣＤパネル１２により変調された光は、光学システム１３により光学主軸１４に沿って壁部３上へ投射され、この結果、壁部３に投射される画像２が得られる。さらに、受信したＡ／Ｖ信号から得られたオーディオ信号は、ラウドスピーカ２５にオーディオ信号出力２４を介してＡ／Ｖ信号処理回路２２により出力可能であり、本例では、当該５．１マルチチャネル規格に準じたサラウンドシステムを制御することができる。
【００２３】
なお、電気光学装置１０の光学特性を改良するのに必要な光学素子は、当該ビーム経路又は光学主軸１４に含まれうる。例えば、インテグレータ、偏光子、赤外線フィルタ、ＵＶフィルタの他、いわゆるビームスプリッタ、アナライザ及びプリズムが挙げられる。
【００２４】
さらにプロジェクタ１は、中央制御ユニット２６を有する。この中央制御ユニット２６は、マイクロコンピュータにより形成される。このマイクロコンピュータは、ＣＰＵ（これ以上の詳細は示さない）及び既知の目的の従来のＲＯＭ及びＲＡＭを有する。中央制御ユニット２６は、多数のタスクを実行するため、すなわちメモリＲＯＭに記憶されたプログラムのプログラム命令を実行しバス２７を介してＡ／Ｖ入力モジュール２１及びＡ／Ｖ信号処理回路２２を制御し、以下により詳しく説明されるように他の機能ブロックを制御するように設けられる。
【００２５】
中央制御ユニット２６に接続されるのは、投射モード選択手段３０であり、この投射モード選択手段３０は、本例ではキーブロック３１を有する。キーブロック３１は、第１モードキー３１ａ、第２モードキー３１ｂ及び第３モードキー３１ｃを有する。投射モード選択手段３０は、いずれの場合も当該所望され選択された投射モードに割り当てられた投射モード選択信号ＰＭＳを中央制御ユニット２６に出力するように構成される。それぞれの投射モード出力信号ＰＭＳのこのような出力は、本例の場合、遠隔制御レシーバ２９を介して付加的に又はオプションとして実行可能であり、遠隔制御レシーバ２９は、ＲＣ規格に準じて赤外線遠隔制御信号を受信するよう構成され遠隔制御装置（図示せず）から当該赤外線遠隔制御信号を受信することができる。なお、このような投射モード選択手段３０は、音声制御装置により又は投射装置１に接続されたＰＣによって形成可能である。
【００２６】
記憶手段３６も、中央制御ユニット２６に接続されており、かかる記憶手段３６は以下でより詳しく説明する。
【００２７】
中央制御ユニット２６によって、特に投射モード設定段３２が形成され、この投射モード設定段３２により、種々の投射モードの設定が投射モードパラメータに基づいて実行可能であり、このために、投射モード設定段３２にはそれぞれの投射モード選択信号ＰＭＳが供給される。本例では、記憶手段３６の記憶領域に投射モードパラメータが記憶され、そこにはズーム位置パラメータ記憶領域３６ａ、光強度パラメータ記憶領域３６ｂ、ファン速度パラメータ記憶領域３６ｃ及びＡ／Ｖ設定パラメータ記憶領域３６ｄがある。各投射モードパラメータには変数作用手段が割り当てられ、各変数作用手段は、投射モード設定段３２により制御可能である。当該変数作用手段の各々は、本例の場合、電気的又は電気機械的な手段として及び／又はパラメータ値が送信されることの可能なソフトウェアアプリケーションとして設けることができる。本例では、４つの変数作用手段が制御可能である。第１の変数作用手段は、光学システム１３により形成され、光学システム１３は、モータ駆動回路３３を介してモータ１５により制御可能であり、特に、ズーム位置パラメータ記憶領域３６ａに記憶される投射モードパラメータに基づいている。この態様において、投射画像の画像サイズを変えることができる。したがって光学システム１３は、投射画像の画像サイズを変えるための変更手段１３を形成する。第２の変数作用手段は、光源１１によって形成され、この光源１１は、光源駆動回路３４を介して、特に光強度パラメータ記憶領域３６ｂに記憶されている投射モードパラメータに基づいて制御される。この態様において、投射画像の画像輝度を変えることができる。第３の変数作用手段は、ファン２８によって形成される。このファン２８は、ファン駆動回路３５を介して、特にファン速度パラメータ記憶領域３６ｃに記憶されている投射モードパラメータに基づいて制御される。この態様において、冷却効果を変えることができる。第４の変数作用手段は、Ａ／Ｖ入力モジュール２１及びＡ／Ｖ信号処理回路２２により形成され、このＡ／Ｖ入力モジュール２１及びＡ／Ｖ信号処理回路２２は、バス２７を介して、特にＡ／Ｖ設定パラメータ記憶領域３６ｄに記憶されている投射モードパラメータに基づいて制御される。この態様において、Ａ／Ｖ信号及びこれから得られるデータに作用することが可能となる。
【００２８】
なお、光学システム１３は、ＬＣＤパネル１２に対する対物レンズ１６についての位置情報を判定（測定）するための位置センサ（図示せず）を有し、この位置センサは、位置センサ適合回路（図示せず）を介して中央制御ユニット２６に位置情報を出力することができる。かかる位置情報は、ズーム位置の設定中にモータ１５を作動するためにフィードバックとして用いられる。また、光学システム１３は、画像の鮮明度（シャープネス）を設定するためのシャープネス設定装置（図示せず）を有する。
【００２９】
下の表１は、３つの投射モードの本例における投射モードパラメータのリストを示している。投射モードパラメータは、記憶手段３６のそれぞれの記憶領域において２進形式で記憶される。
【表１】
2007508732.tif 000003
【００３０】
プロジェクタ１のユーザにとっては、非常に簡単かつ便利な態様で所望の投射モードを設定することができるのは有利である。例として、ユーザは、第１モードキー３１ａを押すことによって第１の投射モードＭＯＤ１を設定することができる。第１モードキー３１ａが押されると、第１投射モード選択信号ＰＭＳに起動がかかる。この第１投射モード選択信号ＰＭＳは、第１モードキー３１ａに対応する第１モードキー情報アイテムを有し、この第１モードキー情報アイテムは、投射モード設定段３２へ転送される。そして、投射モード設定段３２は、特に、第１のモードキー情報アイテムにより規定され記憶手段３６のそれぞれの記憶領域に記憶されるそうした投射モードパラメータに基づいて、当該変数作用手段が存在するように動作するようにさせられる。例えば、本例の第１投射モードＭＯＤ１の場合、光学システム１３のズーム位置は、比較的に小さい画像２が壁部３上に投射されるように第１の変数作用手段によって自動的に設定される。さらに、光源１１は、投射画像２が比較的高い輝度を有するように光源駆動回路を介して制御される。この第１の投射モードＭＯＤ１において、及び特にこの場合高光強度に設定される光源１１の場合において、伴う大量の発生熱を考慮すると、可能な限り効果的に光源１１又はプロジェクタ１の冷却を行うために比較的高いファン速度にファン２８を制御する必要がある。光源駆動回路３４を介して光源１１を制御することにより、用途に応じて投射画像の適切な画像輝度が常に得られ、結果として装置１のサービス寿命が格段に長くなる、という利点を奏する。
【００３１】
Ａ／Ｖ設定パラメータは、本例では３つのＡ／Ｖ設定サブパラメータにより形成され、バス（低音部）の設定のため、５．１サラウンド設定のため、及び画像データ源のための１つのサブパラメータは、投射モード毎に記憶される。第１の投射モードＭＯＤ１において、バス設定のためのＡ／Ｖ信号処理回路２２は、バス信号が出力されないように設定される。さらに、５．１サラウンド設定は、いわゆる２×５ミックスに設定される。Ａ／Ｖ入力モジュール２１によって、ＴＶチューナは、画像データ源として設定される。第１の投射モードＭＯＤ１は、通常、ＴＶ番組を介して伝送されるニュースを見るためにユーザにより用いられる。大抵は、このようなニュース番組を見るのに、より小さい画像サイズで十分であるので、投射画像の小さい画像サイズが適切なものとして推奨されることになる。
【００３２】
なお、変数作用手段を異なる順序で作動してもよく、また変数作用手段は同時に作動されるものとしてもよい。
【００３３】
また、表１に挙げられた投射モードパラメータに加え、投射モード毎の他のパラメータとしてもよい。例えば画像コントラスト、色特性又は色温度のパラメータがあり、これらの他のパラメータは、投射モード設定段３２によって他の変数作用手段を制御するために用いられる。また、投射画像の画像位置に関するパラメータも可能であり、変数作用手段は、その後に偏向ミラー８の電気的駆動により形成され、もって投射画像２の異なる画像位置が設定可能となる。この接続において、上述した装置１に対し改変された構成を有する本発明による第２の装置は、互いに垂直又は少しの傾斜をもって延びるのが好ましい２つの異なる部屋の壁部上に、又は２つを超える数の異なる投射表面、例えば３つ又は４つの投射表面上に画像を投射するよう構成されるようにしてもよい。必要に応じて、台形補正のための投射モードパラメータとしてもよい。かかる台形補正は、特に画像位置を調整する場合に必要となることがある。
【００３４】
上述した装置１に対し変形した構成を有する本発明による第３の構成（図示せず）においては、画像データ源判定手段が中央制御ユニット２６によって形成され、かかる画像データ源判定手段は、活性化又は設定された画像データ源、すなわち画像データを出力している画像データ源を判定するように構成され、投射モード設定段３２に接続される。そして、投射モードの設定は、当該第３の構成の、すなわちこのようなプロジェクタのユーザが活性化された画像データ源を選択するだけで済むという有利な形で行われ、その上で、特に選択された画像データ源に基づいて投射モードの自動設定が行われる。表１の投射モードパラメータは、画像データ源のパラメータを除き、これに応じて用いることができる。画像データ源判定手段はさらに、いわゆるメタデータを評価するよう構成可能であり、かかるメタデータは、画像データ源により画像データと共に出力され、投射モードを設定するために用いられうる。画像データに関連するこのようなメタデータは、専門家の間で広く知られているので、ここではこれ以上詳しく説明しないことにする。
【００３５】
本発明による第４の装置１（図示せず）において、画像データ源判定手段に代え又は画像データ源判定手段と組み合わせて、画像データ分析手段を設けるようにしてもよい。かかる画像データ分析手段は、意味論又はセマンティックな内容に関して当該画像データを分析するように設けられ、投射モードの自動的選択を当該分析された画像データの関数として実行することができる。
【００３６】
上述した第１の装置１に対し変形した構成を有する本発明による第５の構成（図示せず）においては、当該第５の構成が少なくとも１つの投射モードパラメータに作用を及ぼすためのパラメータ作用手段を付加的に有する。本例におけるこのパラメータ作用手段は、プロジェクタ１の周囲輝度を測定する測定手段を有し、少なくとも１つの投射モードパラメータが、測定された周囲輝度の関数としてパラメータ作用手段により作用可能となる。この場合、周囲輝度を測定する測定手段は、フォトレジスタにより形成され、このフォトレジスタが適合回路を介して中央制御ユニット２６に輝度信号を出力する。なお、当該周囲輝度を測定する測定手段は、例えばフォトダイオード又はフォトトランジスタなどの他の素子によっても形成することができる。
【００３７】
本実施例では、投射モードパラメータとしてパラメータ作用手段によってコントラストパラメータを変更することができる。当該フォトレジスタが高周囲輝度に対応する信号を供給すると、コントラストパラメータは、小さな画像サイズ及びあまり目立たせる必要のない画像内容の場合に減少させられる。結果として、（画像輝度は同じままで）光を発する光源１１の電力を減らすことができる。光源１１により発生する熱は、ファン２８により冷まされ、当該ファンはその速度を減らすことができる。これにより、ファン２８により発生したノイズを減らすので有利である。
【００３８】
なお、温度センサをプロジェクタ１に、好ましくは電気光学装置１０の近傍に取り付けてもよい。これにより、温度センサの温度情報が中央制御ユニット２６に温度センサ適合回路を介して出力可能である。このような温度情報も、当該パラメータ作用手段によって少なくとも１つの投射モードパラメータに作用を及ぼすのに用いることができる。
【図面の簡単な説明】
【００３９】
【図１】部屋の壁に画像を投射するための本発明による装置であって据付型ユニットとして構成されたものを概略的に示す図。
【図２】図１の装置の電子的光学的手段をブロック図で示す概略図。
【図１】
2007508732.tif 000004
【図２】
2007508732.tif 000005
【国際調査報告】
2007508732.tif 000006
2007508732.tif 000007
2007508732.tif 000008